(57)【特許請求の範囲】
【請求項１】
非接触ＩＣタグと、
二台以上の電子機器と、
各々の前記電子機器に対応して設けられた非接触ＩＣタグ用のリーダ／ライタと、
各々の前記電子機器に対応して設けられた無線通信用のアダプタと
から成り、
前記非接触ＩＣタグは、
前記非接触ＩＣタグの表面に設けられた、少なくとも二つの状態を切り換えるための操作手段と、
読出しコマンドを受信したとき、前記操作手段が所定の第一の状態にある場合には、前記非接触ＩＣタグ内の記憶手段に記憶されているデータを返送し、前記操作手段が前記第一の状態とは異なる第二の状態にある場合には、前記第一の状態にある場合に返送するデータとは異なる所定のデータを、書込み要求データとして返送し、その後書込みコマンドを受信すると、該書込みコマンドと併せて受信したデータを前記記憶手段に記憶する制御手段と
を備え、
各々の前記電子機器は、
前記リーダ／ライタによって前記非接触ＩＣタグが検知されたとき、読出しコマンドを前記非接触ＩＣタグに送信し、前記読出しコマンドに応じて前記書込み要求データ以外のデータが返送された場合には、返送されたデータを用いて前記無線通信用のアダプタによって接続を行い、前記読出しコマンドに応じて前記書込み要求データが返送された場合には、前記無線通信用のアダプタによって接続を行うために必要な設定情報と、自己の電子機器への接続を要求する情報とを、書込みコマンドと併せて前記非接触ＩＣタグに送信する制御手段を備えた
無線接続システム。
【請求項２】
請求項１に記載の無線接続システムにおいて、
前記非接触ＩＣタグは、
前記記憶手段に記憶されているデータを返送するときに、前記記憶手段から読み出したデータの手前に、該データの長さを示すデータ長情報を付加し、
前記書込み要求データを返送するときには、前記記憶手段から読み出したデータの手前に、前記データ長情報として値ゼロの情報を付加して返送する
無線接続システム。
【請求項３】
請求項１に記載の無線接続システムにおいて、
前記非接触ＩＣタグは、
前記書込み要求データを返送するときには、前記記憶手段からデータを読み出さずに、前記設定情報と一致しないように予め決定されたデータを返送する
無線接続システム。
【請求項４】
請求項１に記載の無線接続システムにおいて、
前記非接触ＩＣタグは有線の汎用入出力ポートを有しており、
前記非接触ＩＣタグの前記操作手段から前記非接触ＩＣタグの前記制御手段に、前記汎用入出力ポートを通して、操作状態を示す信号が供給される
無線接続システム。
【請求項５】
請求項１に記載の無線接続システムにおいて、
前記無線通信用のアダプタは、無線ＬＡＮアダプタである
無線接続システム。
【請求項６】
非接触ＩＣタグにおいて、
前記非接触ＩＣタグの表面に設けられた、少なくとも二つの状態を切り換えるための操作手段と、
読出しコマンドを受信したとき、前記操作手段が所定の第一の状態にある場合には、前記非接触ＩＣタグ内の記憶手段に記憶されているデータを返送し、前記操作手段が前記第一の状態とは異なる第二の状態にある場合には、前記第一の状態にある場合に返送するデータとは異なる所定のデータを、書込み要求データとして返送し、その後書込みコマンドを受信すると、該書込みコマンドと併せて受信したデータを前記記憶手段に記憶する制御手段とを備えた
非接触ＩＣタグ。
【請求項７】
非接触ＩＣタグ用のリーダ／ライタによって非接触ＩＣタグが検知されたとき、読出しコマンドを前記非接触ＩＣタグに送信し、前記読出しコマンドに応じて所定の書込み要求データ以外のデータが返送された場合には、該返送されたデータを用いて無線通信用のアダプタによって接続を行い、前記読出しコマンドに応じて前記書込み要求データが返送された場合には、前記無線通信用のアダプタによって接続を行うために必要な設定情報と、自己の電子機器への接続を要求する情報とを、書込みコマンドと併せて前記非接触ＩＣタグに送信する制御手段を備えた
電子機器。
【請求項８】
コンピュータに、
非接触ＩＣタグ用のリーダ／ライタによって非接触ＩＣタグが検知されたとき、読出しコマンドを前記非接触ＩＣタグに送信する手順と、
前記読出しコマンドに応じて所定の書込み要求データ以外のデータが返送された場合には、該返送されたデータを用いて無線通信用のアダプタによって接続を行い、前記読出しコマンドに応じて前記書込み要求データが返送された場合には、前記無線通信用のアダプタによって接続を行うために必要な設定情報と、前記コンピュータへの接続を要求する情報とを、書込みコマンドと併せて前記非接触ＩＣタグに送信する手順と
を実行させるためのプログラム。
【請求項９】
コンピュータに、
非接触ＩＣタグ用のリーダ／ライタによって非接触ＩＣタグが検知されたとき、読出しコマンドを前記非接触ＩＣタグに送信する手順と、
前記読出しコマンドに応じて所定の書込み要求データ以外のデータが返送された場合には、該返送されたデータを用いて無線通信用のアダプタによって接続を行い、前記読出しコマンドに応じて前記書込み要求データが返送された場合には、前記無線通信用のアダプタによって接続を行うために必要な設定情報と、前記コンピュータへの接続を要求する情報とを、書込みコマンドと併せて前記非接触ＩＣタグに送信する手順と
を実行させるためのプログラムを記録した記録媒体。
【発明の詳細な説明】
【技術分野】
【０００１】
本発明は、電子機器同士を無線通信技術によって接続するためのシステムや、そのシステムを構成する非接触ＩＣタグ，電子機器等に関し、特に、簡単な作業によって接続を行えるようにしたものに関する。
【背景技術】
【０００２】
今日、無線ＬＡＮ（IEEE 802.11b），Bluetooth（‘Bluetooth’は登録商標），ＵＷＢ（Ultra Wide Band）等の各種の無線通信技術が規格化されている。そして、電子機器同士の間で無線通信技術によってデータを送受信することが一般化している。例えば、会議の場では、各出席者が持参したノート型パーソナルコンピュータ同士をアドホック・モードの無線ＬＡＮで接続し、会議の資料のデータをピア・ツー・ピアで送受信するということが行われている。
【０００３】
電子機器がこうした無線通信技術によって他の電子機器に接続するためには、予め、接続のために必要な情報を設定する必要がある。例えばアドホック・モードの無線ＬＡＮを構築する場合には、いずれか一台のコンピュータがホストとなり、そのホストが使用する無線ＬＡＮアダプタのBSS-ID（Base Service Set ID）の情報を、残りのコンピュータに設定する必要がある。さらに、使用するチャンネル，暗号（WEP），通信速度等についての情報も設定する必要がある。
【０００４】
このように、設定すべき項目には様々なものがあり、また無線通信を行う環境によっても設定内容を変えなければならない。そのため、一般のユーザーにとっては、キーボード等による手入力で設定を行うことは、敷居が高く困難である。
【０００５】
そこで、手入力によらずに設定を行う方法として、従来から、次の（ａ）や（ｂ）のような方法が提案されていた。
（ａ）一つの電子機器に、無線接続のために必要な設定情報を書き込んだ非接触ＩＣカード（ＲＦタグ）を内蔵する。また、別の電子機器に、非接触ＩＣカードリーダ／ライタを内蔵（または外付け）する。そして、それらの電子機器同士を近づけて、前者の電子機器の非接触ＩＣカード内の情報を、後者の電子機器に読み取らせる（例えば、特許文献１参照。）。
【０００６】
（ｂ）各電子機器に、非接触ＩＣカードリーダ／ライタを内蔵（または外付け）する。そして、一つの電子機器を操作することによってその電子機器を書込みモードにし、非接触ＩＣカードをその電子機器に近づけて、無線接続のために必要な設定情報をその電子機器から非接触ＩＣカードに書き込む。次に、別の電子機器を操作することによってその電子機器を読出しモードにし、前述の非接触ＩＣカードをその電子機器に近づけて、非接触ＩＣカード内の情報をその電子機器に読み取らせる（例えば、特許文献２参照。）。
【０００７】
【特許文献１】特開２００３−３２１７５号公報（段落番号００８３〜００８７、図６）
【特許文献２】特開２００３−２２９８７２号公報（段落番号００５９〜００７０、図７〜１０）
【発明の開示】
【発明が解決しようとする課題】
【０００８】
しかし、上記（ａ）の方法では、電子機器自体を移動させて互いに近づけなければならない。携帯電話機のような小さな（片手で持てる）機器であればよいが、パーソナルコンピュータのような機器の場合には、電子機器自体を移動させる作業はユーザーにとって負担が大きい。また、上記（ａ）の方法では、非接触ＩＣカードに予め書き込まれている設定情報を読み出すだけであり、電子機器のほうから設定情報を非接触ＩＣカードに書き込むことはできない。
【０００９】
また、上記（ｂ）の方法では、非接触ＩＣカードを動かす以外に、電子機器自体を操作して、電子機器のモードを書込みモードか読出しモードかに切り換えなければならない。そのため、ユーザーにとって作業が煩雑且つ面倒である。
【００１０】
本発明は、上述の点に鑑み、ユーザーが、電子機器自体を移動させたり電子機器自体を操作したりすることなく、簡単な作業により、電子機器同士を無線通信技術によって接続できるようにすることを課題としてなされたものである。
【課題を解決するための手段】
【００１１】
本発明は、非接触ＩＣタグと、二台以上の電子機器と、各電子機器に対応して設けられた非接触ＩＣタグ用のリーダ／ライタと、各電子機器に対応して設けられた無線通信用のアダプタとから成り、この非接触ＩＣタグは、非接触ＩＣタグの表面に設けられた、少なくとも二つの状態を切り換えるための操作手段と、読出しコマンドを受信したとき、この操作手段が所定の第一の状態にある場合には、非接触ＩＣタグ内の記憶手段に記憶されているデータを返送し、この操作手段がこの第一の状態とは異なる第二の状態にある場合には、この第一の状態にある場合に返送するデータとは異なる所定のデータを、書込み要求データとして返送し、その後書込みコマンドを受信すると、書込みコマンドと併せて受信したデータをこの記憶手段に記憶する制御手段とを備え、各電子機器は、このリーダ／ライタによってこの非接触ＩＣタグが検知されたとき、読出しコマンドをこの非接触ＩＣタグに送信し、この読出しコマンドに応じてこの書込み要求データ以外のデータが返送された場合には、返送されたデータを用いてこの無線通信用のアダプタによって接続を行い、この読出しコマンドに応じてこの書込み要求データが返送された場合には、この無線通信用のアダプタによって接続を行うために必要な設定情報と、自己の電子機器への接続を要求する情報とを、書込みコマンドと併せてこの非接触ＩＣタグに送信する制御手段を備えた無線接続システムである。
【００１２】
また本発明は、この無線接続システムを構成する非接触ＩＣタグ及び電子機器である。また本発明は、コンピュータを、この無線接続システムを構成する電子機器として機能させるプログラムと、そのプログラムを記録した記録媒体である。
【００１３】
本発明による無線接続システムでは、ユーザーが次のような作業を行うことにより、電子機器同士が無線通信技術によって接続される。
【００１４】
まずユーザーは、非接触ＩＣタグの操作手段を第二の状態にして、接続のために必要な設定情報を保持している一台の電子機器（例えばアドホック・モードの無線ＬＡＮの場合には、ホストとなる電子機器）のリーダ／ライタに非接触ＩＣタグを近づける。
【００１５】
すると、その電子機器から読出しコマンドが非接触ＩＣタグに送信されるが、操作手段が第二の状態にあるので、非接触ＩＣタグからは書込み要求データが返送される。その電子機器は、この書込み要求データに応じて、無線接続を行うために必要な設定情報と、自己の電子機器への接続要求情報とを非接触ＩＣタグに書き込む。
【００１６】
続いてユーザーは、非接触ＩＣタグの操作手段を第一の状態にして、残りの各電子機器のリーダ／ライタに非接触ＩＣタグを近づける。
【００１７】
すると、それらの電子機器から読出しコマンドが非接触ＩＣタグに送信され、操作手段が第一の状態にあるので、非接触ＩＣタグ内に記憶しているデータ（先程書き込まれた設定情報及び接続要求情報）が返送される。それらの電子機器は、この返送された設定情報を用いて無線接続を行う。
【００１８】
このように、ユーザーが、非接触ＩＣタグの表面の操作手段で簡単な切り換え操作を行いつつ非接触ＩＣタグを移動させるだけで、電子機器同士が無線通信技術によって接続される。
【００１９】
これにより、従来の方法のように電子機器自体を移動させたり電子機器自体を操作したりすることなく、簡単な作業によって電子機器同士を無線通信技術によって接続することができる。
【発明の効果】
【００２０】
本発明によれば、電子機器自体を移動させたり電子機器自体を操作したりすることなく、簡単な作業によって電子機器同士を無線通信技術によって接続することができるという効果が得られる。
【発明を実施するための最良の形態】
【００２１】
以下、本発明の実施の形態を図面を用いて具体的に説明する。なお、以下では、会議の各出席者が持参したノート型パーソナルコンピュータの間でアドホック・モードの無線ＬＡＮを構築するために本発明を適用した例について説明する。
【００２２】
図１は、本発明を適用したシステムの全体図である。このシステムは、ＲＦタグ（非接触ＩＣタグ）１と、各出席者が持参したノート型パーソナルコンピュータ（以下ノートＰＣと記載する）２〜７とから成っている。
【００２３】
ＲＦタグ１は、ＲＦＩＤ（電波方式認識）技術を用いたＩＣチップを搭載した小型のタグである。ＲＦタグ１の通信距離は、数ｃｍ〜１０数ｃｍ程度（図１のように配列した複数台のノートＰＣのうちの一台と通信距離の範囲内になったとき、残りのノートＰＣとは通信距離の範囲内にならないような長さ）になっている。本発明の特徴として、ＲＦタグ１の表面には、押し釦１ａが設けられている。
【００２４】
図２は、ＲＦタグ１のハードウェア構成を示すブロック図である。ＲＦタグ１のＬＳＩ（ＩＣチップ）１１上には、アナログＲＦ処理部１２，コマンド処理部１３，メモリインタフェース部１４及び不揮発メモリ（ＥＥＰＲＯＭ）１５が設けられている。
【００２５】
アナログＲＦ処理部１２には、ＲＦタグ１に設けられたアンテナ１６から電波の受信信号が送られる。アナログＲＦ処理部１２は、この受信信号をＲＦ増幅してコマンド処理部１３に供給する。コマンド処理部１３は、ＣＰＵ（または専用のＬＳＩ）から成っており、外部から受信したコマンドに基づき、メモリインタフェース部１４を介して不揮発メモリ１５に対するデータの書込みや読出しを行う。
【００２６】
本発明の特徴として、コマンド処理部１３には、図１に示した押し釦１ａから、操作状態を示す信号（釦１ａが押されていないとき‘Ｈ’になり、押されているとき‘Ｌ’になる信号）も供給される。なお、図示は省略するが、ＲＦタグ１には有線の汎用入出力ポート（例えばＵＡＲＴを用いたシリアル通信ポート）も設けられており、押し釦１ａからの信号はこの汎用入出力ポートを通してコマンド処理部１３に供給される。
【００２７】
コマンド処理部１３は、外部から受信したコマンドだけでなく、この押し釦１ａからの信号に基づいて、図３に示すような処理を実行する。この処理は、ＲＦタグ１に電源が供給されるとスタートし、最初に、読出しコマンドを受信するまで待機する（ステップＳ１）。そして、読出しコマンドを受信すると、現在押し釦１ａが押されているか否か（操作状態を示す信号が‘Ｌ’であるか否か）を判断する（ステップＳ２）。
【００２８】
押し釦１ａが押されていれば、所定の書込み要求データを返送する（ステップＳ３）。続いて、書込みコマンドを受信するまで待機する（ステップＳ４）。そして、書込みコマンドを受信すると、そのコマンドと併せて受信したデータを、不揮発メモリ１５に書き込む（ステップＳ５）。そしてステップＳ１に戻る。
【００２９】
ステップＳ２で押し釦１ａが押されていなかった場合には、不揮発メモリ１５に記憶されているデータを読み出し、そのデータを返送する（ステップＳ６）。そしてステップＳ１に戻る。
【００３０】
なお、コマンド処理部１３は、不揮発メモリ１５に記憶されているデータを返送する場合（ステップＳ６の場合）には、不揮発メモリ１５から読み出したデータの手前に、ヘッダ情報の一つとして、そのデータの長さを示すデータ長情報を付加する。そして、ステップＳ３では、不揮発メモリ１５から読み出したデータの手前に、このデータ長情報として値ゼロ（データ長としてはあり得ない値）の情報を付加したものを、書込み要求データとして返送する。
【００３１】
図１の各ノートＰＣ２〜７としては、通常市販されているノートＰＣが用いられている。ただし、ここでは、ＲＦタグ用のリーダ／ライタと無線ＬＡＮアダプタとが内蔵されたノートＰＣが用いられているものとする。
【００３２】
図４は、各ノートＰＣ２〜７のハードウェア構成のうち、本発明に関連する部分を示すブロック図である。ＣＰＵ２１，ＲＯＭ２２及びＲＡＭ２３が、外部バス２４に接続されている。また、外部バス２４には、インタフェース２５を介してＲＦタグ用のリーダ／ライタ２６が接続されるとともに、インタフェース２７を介して無線ＬＡＮアダプタ２８が接続されている。
【００３３】
ＲＯＭ２２内には、ＣＰＵ２１が実行する各種プログラムが格納されている。図５は、それらのプログラムのうち、本発明に関連する部分を示す図である。本発明の特徴として、ＲＯＭ２２内には、ミドルウェアとしての無線ＬＡＮ接続用プログラム３１が格納されている。
【００３４】
この無線ＬＡＮ接続用プログラム３１は、例えば、製品としてのＲＦタグ１にＣＤ−ＲＯＭとして付属しており、各ノートＰＣ２〜７にインストールされたものである。
【００３５】
無線ＬＡＮ接続用プログラム３１は、ＯＳ３２のプログラム間通信機能を利用してリーダ／ライタドライバ３３（図４のリーダ／ライタ２６を動作させるプログラム）や無線ＬＡＮドライバ３４（図４の無線ＬＡＮアダプタ２８を動作させるプログラム）との間でプログラム間通信を行いつつ、無線ＬＡＮ接続を行うためのプログラムである。
【００３６】
図６は、この無線ＬＡＮ接続用プログラム３１によってＣＰＵ２１が実行する処理を示すフローチャートである。この処理は、リーダ／ライタ２６（図４）がＲＦタグを検知するとスタートし、最初に、読出しコマンドをリーダ／ライタ２６からそのＲＦタグに送信する（ステップＳ１１）。
【００３７】
続いて、その読出しコマンドに対する返送データとして受信したデータが、書込み要求データ（前述のように、データの手前に、データ長情報として値ゼロの情報を付加したもの）であるか否かを判断する（ステップＳ１２）。
【００３８】
書込み要求データであれば、自己のノートＰＣに無線ＬＡＮ接続するために必要な設定情報を、ＲＡＭ２３（図４）にロードする。そして、その設定情報と、自己のノートＰＣへの接続を要求する情報とを、書込みコマンドと併せてリーダ／ライタ２６からそのＲＦタグに送信する（ステップＳ１３）。そして処理を終了する。
【００３９】
なお、ステップＳ１３で送信する設定情報は、ユーザーが、例えば無線ＬＡＮアダプタ２８用のユーティリティソフトによってノートＰＣの画面上で設定したBSS-ID（Base Service Set ID），チャンネル，暗号（WEP），通信速度等についての情報である。
【００４０】
ステップＳ１２で書込み要求データでなかった場合には、受信したデータを設定情報として使って、無線ＬＡＮアダプタ２８から、ホストとなっているノートＰＣに無線ＬＡＮ接続を要求する（ステップＳ１４）。そして処理を終了する。
【００４１】
次に、図１に示したシステムにおいて、各ノートＰＣ２〜７をアドホック・モードの無線ＬＡＮで接続するためにユーザー（会議出席者）が行う作業について説明する。なお、ここでは、ノートＰＣ２がアドホック・モードにおけるホストとなるものとして説明する。
【００４２】
まずユーザーが、ＲＦタグ１の押し釦１ａを押した状態で、ノートＰＣ２にＲＦタグ１を近づける。
【００４３】
すると、ノートＰＣ２から読出しコマンドがＲＦタグ１に送信される（図６のステップＳ１１）が、ＲＦタグ１の押し釦１ａが押されているので、ＲＦタグ１からは書込み要求データが返送される（図３のステップＳ１〜Ｓ３）。
【００４４】
ノートＰＣ２は、この書込み要求データに応じて、ノートＰＣ２に対して無線ＬＡＮ接続するために必要な設定情報と、ノートＰＣ２への接続要求情報とを、ＲＦタグ１に書き込む（図６のステップＳ１２，Ｓ１３、図３のステップＳ４，Ｓ５）。
【００４５】
続いてユーザーは、ＲＦタグ１の押し釦１ａを押さずに、残りの各ノートＰＣ３〜７の一台ずつにＲＦタグ１を近づける。
【００４６】
すると、各ノートＰＣ３〜７から読出しコマンドがＲＦタグ１に送信され（図６のステップＳ１１）、ＲＦタグ１の押し釦１ａが押されていないので、ＲＦタグ１内に記憶しているデータ（先程書き込まれた設定情報及び接続要求情報）が返送される（図３のステップＳ１，Ｓ２，Ｓ６）。
【００４７】
各ノートＰＣ３〜７は、この返送された接続要求情報から、ノートＰＣ２が無線ＬＡＮ接続を要求していることを知る。そして、返送された設定情報を使って、無線ＬＡＮアダプタ２８からノートＰＣ２に無線ＬＡＮ接続を要求する（図６のステップＳ１２，Ｓ１４）。ノートＰＣ２は、この接続要求に応じて、各ノートＰＣ３〜７との接続を行う。
【００４８】
これにより、各ノートＰＣ２〜７がアドホック・モードの無線ＬＡＮで接続されるので、会議の資料のデータをノートＰＣ２〜７間でピア・ツー・ピアで送受信することができる。
【００４９】
このように、このシステムによれば、ユーザーが、押し釦１ａを押す／押さないという簡単な切り換え操作を行いつつＲＦタグ１を移動させるだけで、各ノートＰＣ２〜７が無線ＬＡＮ接続される。
【００５０】
これにより、ノートＰＣ２〜７自体を移動させたりノートＰＣ２〜７自体を操作したりすることなく、簡単な作業によって各ノートＰＣ２〜７を無線ＬＡＮ接続することができる。
【００５１】
そして、ＲＦタグ１の押し釦１ａからＲＦタグ１内のコマンド処理部１３（図２）へは、もともとＲＦタグ１に設けられている汎用入出力ポートを通して信号を送るので、既存のＲＦタグの内部のハードウェア構成を変更することなく（新たな信号線等を追加することなく）、このＲＦタグ１を実現することができる。
【００５２】
なお、図１にはＲＦタグ１をカード型の形状に描いているが、カード型に限らず、ラベル型，コイン型，スティック型等の適宜の形状にしてよい。
【００５３】
また、以上の例ではＲＦタグ１に押し釦１ａを設けているが、押し釦に限らず、ダイヤル型の釦や、スライド式の釦等、少なくとも二つの状態を切り換えることのできる適宜の操作手段を設けてよい。
【００５４】
また、以上の例では、ＲＦタグ１内のコマンド処理部１３は、不揮発メモリ１５から読み出したデータの手前に、データ長情報として値ゼロの情報を付加したものを、書込み要求データとして返送するようにしている。しかし、別の例として、データ長情報以外の付加情報（例えばデータの種別情報）の内容や、不揮発メモリ１５から読み出したデータ自体の内容を、本来の設定情報と区別がつくように変更したものを、書込み要求データとして返送する（無線ＬＡＮ接続用プログラム３１も、そのように変更されたデータを書込み要求データとして認識する）ようにしてもよい。
【００５５】
さらに別の例として、不揮発メモリ１５からデータを読み出すことなく、無線ＬＡＮ接続のための設定情報と一致しないように予め決定されたデータを書込み要求データとして返送する（無線ＬＡＮ接続用プログラム３１も、その予め決定されたデータを書込み要求データとして認識する）ようにしてもよい。
【００５６】
また、以上の例では、汎用入出力ポートを通して押し釦１ａからＲＦタグ１内のコマンド処理部１３へ信号を送っている。しかし、別の例として、汎用入出力ポートが設けられていないＲＦタグにおいて、専用の信号線を通して押し釦からＲＦタグ内のコマンド処理部へ信号を送るようにしてもよい。
【００５７】
また、以上の例では、ノートＰＣをアドホックモードで無線ＬＡＮ接続するために本発明を適用している。しかし、本発明は、これに限らず、無線アクセスポイント経由での接続（アクセスポイントが設定情報を書き込む）や、ノートＰＣ以外の電子機器の無線ＬＡＮ接続や、Bluetooth（‘Bluetooth’は登録商標），ＵＷＢ（Ultra Wide Band），ＭＩＭＯ（IEEE 802.11n）等の無線通信技術による電子機器同士の接続のためにも適用することができる。
【図面の簡単な説明】
【００５８】
【図１】本発明を適用したシステムの全体図である。
【図２】図１のＲＦタグのハードウェア構成を示すブロック図である。
【図３】図２のコマンド処理部の処理を示すフローチャートである。
【図４】図１のノートＰＣのハードウェア構成のうち、本発明に関連する部分を示すブロック図である。
【図５】図４のＲＯＭ内のプログラムのうち、本発明に関連する部分を示す図である。
【図６】図５の無線ＬＡＮ接続用プログラムによる処理を示すフローチャートである。
【符号の説明】
【００５９】
１  ＲＦタグ、  １ａ  押し釦、  ２〜７  ノートＰＣ、  １１  ＬＳＩ、  １２  アナログＲＦ処理部、  １３  コマンド処理部、  １４  メモリＩ／Ｆ部、  １５  不揮発性メモリ、  １６  アンテナ、  ２１  ＣＰＵ、  ２２  ＲＯＭ、  ２３  ＲＡＭ、  ２４  バス、  ２６  ＲＦタグリーダ／ライタ、  ２８  無線ＬＡＮアダプタ、  ３１  無線ＬＡＮ接続用プログラム
【図１】
0004525488.tif 000002
【図２】
0004525488.tif 000003
【図３】
0004525488.tif 000004
【図４】
0004525488.tif 000005
【図５】
0004525488.tif 000006
【図６】
0004525488.tif 000007